(57)【要約】【課題】高密度化が可能な磁気記録装置を提供する。【解決手段】実施形態によれば、磁気記録装置は、磁気記録媒体と、磁気ヘッドと、を含む。前記磁気ヘッドは、磁極と、トレーリングシールドと、を含む。前記磁極は、前記磁気記録媒体と対向する媒体対向面を有する。前記媒体対向面は、前記磁極から前記トレーリングシールドに向かう第１方向に沿う磁極長を有する。前記磁極長は、前記磁気記録媒体のトラックピッチよりも短い。【選択図】図１
2017059280.tif 000002
【特許請求の範囲】
【請求項１】
磁気記録媒体と、
磁気ヘッドであって、前記磁気記録媒体と対向する媒体対向面を有する磁極と、トレーリングシールドと、を含む磁気ヘッドと、
を備え、
前記媒体対向面は、前記磁極から前記トレーリングシールドに向かう第１方向に沿う磁極長を有し、
前記磁極長は、前記磁気記録媒体のトラックピッチよりも短い、磁気記録装置。
【請求項２】
前記磁極長は、前記トラックピッチの０．７倍以下である、請求項１記載の磁気記録装置。
【請求項３】
前記磁極のベベル角は、磁気記録媒体のスキュー角の絶対値の最大値よりも小さい、請求項１または２に記載の磁気記録装置。
【請求項４】
前記ベベル角は、前記最大値の０．５倍以下である、請求項３記載の磁気記録装置。
【請求項５】
前記ベベル角は、０度以上１７度以下である、請求項３または４に記載の磁気記録装置。
【請求項６】
前記最大値は、２０度以下である、請求項３〜５のいずれか１つに記載の磁気記録装置。
【請求項７】
アームをさらに備え、
前記アームは、アーム軸と、前記アーム軸を中心として回転しアーム延在方向に沿って延びる延在部と、を含み、
前記磁極は前記延在部に固定され、
前記磁気記録媒体は、媒体回転軸を中心として回転し、
前記トラックピッチの方向は、前記媒体回転軸を通り前記媒体回転軸に対して垂直な直線に沿い、
前記ダウントラック方向は、前記直線に対して実質的に垂直であり、
前記媒体対向面は、前記直線と交差する辺を有し、
前記第１方向と、前記辺と、の間の第１角度は、前記ダウントラック方向と前記アーム延在方向との間の第２角度の絶対値の最大値よりも小さい、請求項１または２に記載の磁気記録装置。
【請求項８】
前記第１角度は、前記第２角度の絶対値の最大値の０．５倍以下である、請求項７記載の磁気記録装置。
【請求項９】
前記第１角度は、０度以上１７度以下である、請求項７または８に記載の磁気記録装置。
【請求項１０】
前記第２角度の絶対値の最大値は、２０度以下である、請求項７〜９のいずれか１つに記載の磁気記録装置。
【請求項１１】
前記磁極長は、４０ナノメートル以下である、請求項１〜１０のいずれか１つに記載の磁気記録装置。
【請求項１２】
前記媒体対向面は、前記第１方向に対して垂直で前記媒体対向面に対して垂直な方向に沿う磁極幅を有し、
前記磁極長は、前記磁極幅以下である、請求項１〜１１のいずれか１つに記載の磁気記録装置。
【請求項１３】
前記磁極長は、前記磁極幅以下である、請求項１２記載の磁気記録装置。
【請求項１４】
前記磁気記録媒体は、垂直磁気記録層を含む、請求項１〜１３のいずれか１つに記載の磁気記録装置。
【発明の詳細な説明】
【技術分野】
【０００１】
本発明の実施形態は、磁気記録装置に関する。
【背景技術】
【０００２】
磁気ヘッドを用いて、ＨＤＤ（Hard Disk Drive）などの磁気記憶媒体に情報が記録される。例えば、垂直磁気記録は、高密度記録に有利である。磁気記録装置において、記録密度の向上が望まれる。
【先行技術文献】
【特許文献】
【０００３】
【特許文献１】特開２００７−２５７７７５号公報
【発明の概要】
【発明が解決しようとする課題】
【０００４】
本発明の実施形態は、高密度化が可能な磁気記録装置を提供する。
【課題を解決するための手段】
【０００５】
本発明の実施形態によれば、磁気記録装置は、磁気記録媒体と、磁気ヘッドと、を含む。前記磁気ヘッドは、磁極と、トレーリングシールドと、を含む。前記磁極は、前記磁気記録媒体と対向する媒体対向面を有する。前記媒体対向面は、前記磁極から前記トレーリングシールドに向かう第１方向に沿う磁極長を有する。前記磁極長は、前記磁気記録媒体のトラックピッチよりも短い。
【図面の簡単な説明】
【０００６】
【図１】図１（ａ）〜図１（ｃ）は、第１の実施形態に係る磁気記録装置を例示する模式図である。
【図２】図２（ａ）及び図２（ｂ）は、第１の実施形態に係る磁気記録装置を例示する模式的平面図である。
【図３】図３（ａ）〜図３（ｃ）は、磁気記録装置の特性を例示するグラフ図である。
【図４】図４（ａ）及び図４（ｂ）は、磁気記録装置の特性を例示するグラフ図である。
【図５】図５（ａ）及び図５（ｂ）は、磁気記録装置の特性を例示する模式図である。
【図６】磁気記録装置の特性を例示するグラフ図である。
【図７】磁気記録装置の特性を例示するグラフ図である。
【図８】第１の実施形態に係る磁気記録装置を例示する模式的斜視図である。
【図９】第１の実施形態に係る磁気記録装置の一部を例示する模式的斜視図である。
【図１０】実施形態に係る磁気記録装置を例示する模式的斜視図である。
【図１１】図１１（ａ）及び図１１（ｂ）は、磁気記録装置の一部を例示する模式的斜視図である。
【発明を実施するための形態】
【０００７】
以下に、各実施の形態について図面を参照しつつ説明する。  
図面は模式的または概念的なものであり、各部分の厚みと幅との関係、部分間の大きさの比率などは、必ずしも現実のものと同一とは限らない。同じ部分を表す場合であっても、図面により互いの寸法や比率が異なって表される場合もある。  
本願明細書と各図において、既出の図に関して前述したものと同様の要素には同一の符号を付して詳細な説明は適宜省略する。
【０００８】
（第１の実施形態）  
図１（ａ）〜図１（ｃ）は、第１の実施形態に係る磁気記録装置を例示する模式図である。  
図１（ａ）は、断面図である。図１（ｂ）は、磁気記録装置に設けられる磁気記録媒体を示す平面図である。図１（ｃ）は、磁気記録装置に設けられる磁気ヘッドを示す平面図である。
【０００９】
図１（ａ）に示すように、本実施形態に係る磁気記録装置１５０は、磁気記録媒体８０と、磁気ヘッド１１０と、を含む。磁気ヘッド１１０は、磁極２０を有する。磁極２０は、媒体対向面２０ｆを有する。媒体対向面２０ｆは、磁気記録媒体８０と対向する。媒体対向面２０ｆは、磁気ヘッド１１０の媒体対向面（ＡＢＳ：Air Bearing Surface）に対応する。
【００１０】
磁気記録媒体８０から磁気ヘッド１１０（磁極２０）に向かう方向をＺ軸方向とする。Ｚ軸方向は、ハイト方向である。Ｚ軸方向は、媒体対向面２０ｆに対して実質的に垂直である。Ｚ軸方向に対して垂直な１つの方向をＸ軸方向とする。Ｚ軸方向とＸ軸方向とに対して垂直な方向をＹ軸方向とする。
【００１１】
磁気記録媒体８０は、媒体移動方向８５に沿って、磁気ヘッド１１０に対して相対的に移動する。媒体移動方向８５をＸ軸方向とする。Ｘ軸方向は、ダウントラック方向に対応する。Ｙ軸方向は、トラック幅方向に対応する。
【００１２】
磁気記録媒体８０は、例えば媒体基板８２と、媒体基板８２の上に設けられた磁気記録層８１と、を含む。磁気記録層８１に複数の記録ビット８４が設けられる。磁気ヘッド１１０から印加される磁界（磁極２０で生じる記録磁界）により、複数の記録ビット８４のそれぞれにおいて、磁化８３が制御される。これにより書き込み動作が実施される。磁気記録層８１は、例えば、垂直磁気記録層である。このように、磁気記録媒体８０は、例えば、垂直磁気記録層を含む。
【００１３】
記録トラックは、磁気記録の記録ビット８４の列８４ａに対応する。記録ビット８４の列８４ａの延在方向が、ダウントラック方向に対応する。
【００１４】
磁気ヘッド１１０は、磁極２０と、シールド１０と、を含む。磁極２０は、磁気記録媒体に情報を書き込む。シールド１０は、トレーリングシールドである。磁気記録媒体８０の特定の部分８０ｐは、磁極２０と対向した後に、シールド１０と対向する。
【００１５】
磁気ヘッド１１０において、磁極２０とシールド１０との間には、ギャップ絶縁部３０が設けられる。この例では、シールド４３がさらに設けられる。シールド４３と磁極２０との間には、絶縁部３１が設けられている。ギャップ絶縁部３０及び絶縁部３１には、例えば、アルミニウムの酸化物を含む材料が用いられる。
【００１６】
磁気記録媒体８０は、例えば、円盤状である。
【００１７】
図１（ｂ）は、磁気記録媒体８０の一部を例示している。磁気記録媒体８０は、媒体回転軸８０ｃを中心として回転する。例えば、記録ビット８４の列８４ａの延在方向は、媒体回転軸８０ｃを中心とした円状である。実施形態において、磁気記録媒体８０に対向する磁極２０のサイズは、磁気記録媒体８０の全体のサイズよりも著しく小さい。従って、磁気記録媒体８０において、記録ビット８４の列８４ａの延在方向を考慮する際には、列８４ａの延在方向は、媒体回転軸８０ｃを中心とした円の周方向に沿った直線と見なしても良い。すなわち、磁気記録媒体８０は、磁極２０と対向している部分を有する。この部分に着目すると、この部分の近傍においては、列８４ａの延在方向は、媒体回転軸８０ｃを中心とした円の周方向に沿った直線に、実質的に沿っている。媒体回転軸８０ｃを中心とした実質的に同心の円状に、記録ビット８４の列８４ａが延在する。
【００１８】
図１（ｂ）に示すように、磁気記録媒体８０のトラックピッチＴｒｐは、複数の列８４ａのピッチに対応する。トラックピッチＴｒｐの方向は、媒体回転軸８０ｃを通る直線８０Ｌ（媒体対向面２０ｆに対して平行で、媒体回転軸８０ｃを通る直線）に沿う。一方、ダウントラック方向は、その直線８０Ｌに対して実質的に垂直である。
【００１９】
図１（ｃ）は、磁気ヘッド１１０を媒体対向面２０ｆの側から見た平面図である。既に説明したように、磁気ヘッド１１０に、磁極２０、シールド１０及びシールド４３が設けられ、さらに、第１サイドシールド４１及び第２サイドシールド４２が設けられる。第１サイドシールド４１及び第２サイドシールド４２の間に磁極２０が配置される。シールド１０とシールド４３との間に、第１サイドシールド４１、第２サイドシールド４２及び磁極２０が配置されている。
【００２０】
磁極２０からシールド１０に向かう方向をＸ１軸方向（第１方向）とする。Ｘ１軸方向は、Ｚ軸方向に対して実質的に垂直である。Ｘ１軸方向に対して垂直でＺ軸方向に対して垂直な方向をＹ１軸方向とする。Ｙ１軸方向は、磁極２０からシールド１０に向かう方向に対して垂直で、媒体対向面２０ｆに対して垂直である。媒体対向面２０ｆは、Ｘ１−Ｙ１平面に沿っている。磁極２０のシールド１０に対向する面は、Ｙ１軸方向に沿っている。
【００２１】
磁極２０とシールド１０との間に生じる磁界により、磁気記録媒体８０に情報が書き込まれる。磁極２０とシールド１０との間の間隔（Ｘ１軸方向に沿った距離）がライトギャップＷＧに対応する。磁極２０と第１サイドシールド４１との間の間隔（Ｙ１軸方向に沿った距離）が、サイドギャップＳＧに対応する。磁極２０と第２サイドシールド４２との間の間隔（Ｙ１軸方向に沿った距離）が、サイドギャップＳＧに対応する。磁極２０のＸ１軸方向に沿った長さが、磁極長ＰＬに対応する。磁極２０のＹ１軸方向に沿った長さが、磁極幅ＰＷに対応する。
【００２２】
磁極２０の側面２０ｓは、Ｘ１軸方向に対して傾斜している。傾斜の角度がベベル角θｂに対応する。媒体対向面２０ｆは、第１辺ｓ１と、第２辺ｓ２と、第３辺ｓ３と、端部ｓ４と、を有する。第１辺ｓ１は、第１サイドシールド４１と対向する。第２辺ｓ２は、第２サイドシールド４２と対向する。第３辺ｓ３は、シールド１０と対向する。端部ｓ４は、磁極２０において、第３辺ｓ１とは反対側である。
【００２３】
第３辺ｓ３は、Ｙ１軸方向に実質的に沿う。第１辺ｓ１は、Ｙ１軸方向と交差する。後述するスキュー角が０のときに、第３辺ｓ３は、媒体回転軸８０ｃを通る直線８０Ｌに実質的に沿う。例えば、第３辺ｓ３のＹ１軸方向に沿う長さは、端部ｓ４のＹ１軸方向に沿う長さよりも長い。
【００２４】
第１辺ｓ１は、Ｙ１軸方向に対して傾斜する。第１辺ｓ１は、Ｘ１軸方向に対して傾斜する。第１辺ｓ１とＸ１軸方向（磁極２０からシールド１０に向かう方向）との間の角度を、第１ベベル角θｂ１とする。第２辺ｓ２は、Ｙ１軸方向と交差する。第２辺ｓ２は、Ｙ１軸方向に対して傾斜する。第２辺ｓ２は、Ｘ１軸方向に対して傾斜する。第２辺ｓ２とＸ１軸方向との間の角度を第２ベベル角θｂ２とする。第１ベベル角θｂ１は、例えば、アウターベベル角である。第２ベベル角θｂ２は、インナーベベル角である。第１ベベル角θｂ１は、第２ベベル角θｂ２と実質的に同じも良い。第１ベベル角θｂ１は、第２ベベル角θｂ２と異なっても良い。第１ベベル角θｂ１及び第２ベベル角θｂ２を、合わせてベベル角θｂと言う場合がある。
【００２５】
本実施形態においては、磁極長ＰＬが短くされる。磁極長ＰＬは、例えば、磁気記録媒体８０のトラックピッチＴｒｐよりも短い。
【００２６】
磁気記録媒体８０のトラックピッチＴｒｐは、例えば、磁気記録媒体８０を磁気力顕微鏡（Magnetic Force Microscopy：ＭＦＭ）などによる評価することにより、求められる。一方、トラックピッチＴｒｐは、ＥＷＡＣ(Erasure Width of the AC pattern：例えば、米国特許第８８０４２８１号明細書参照)を基に算出することができる。ＥＷＡＣを基に算出される値は、「可能な最小トラックピッチ」に対応する。磁気記録装置において実用的に使用するトラックピッチは、「可能な最小トラックピッチ」である。磁気力顕微鏡による評価から求められたトラックピッチＴｒｐは、ＥＷＡＣを基に算出された値と一致する。
【００２７】
一般に、磁極２０の面積を小さくすると、磁極２０で発生する磁界（記録磁界）が小さくなり、磁気記録媒体８０への情報の記録の効率が低下すると考えられている。磁極２０の磁極幅ＰＷは、トラックピッチＴｒｐに直接的に影響を与える。磁極幅ＰＷを狭くすることで、トラックピッチを小さくでき、高密度の記録が可能になる。このため、一般には、磁極幅ＰＷを小さくした上で、磁極２０の面積（媒体対向面２０ｆの面積）を大きくすることが良いと考えられている。このため、磁極長ＰＬは長くなる。一方、実際の磁気記録装置においては、スキュー角が存在し、ベベル角θｂを過度に小さくすると、スキュー角の大きい位置において、特性が急激に悪くなる。このため、一般的な技術思想においては、最大スキュー角以下程度のベベル角θｂを保持したまま、磁極長ＰＬが長い三角形状の磁極を目指す。
【００２８】
しかしながら、本願発明者の検討によると、実際の磁気記録装置においては、磁極長ＰＬを短くしてベベル角θｂを小さくすると、良好な特性で記録が可能であることが分かった。すなわち、実用的には、磁極２０の面積が小さくなっても、磁極２０で発生する有効的な磁界（記録磁界）は大きく維持される。本実施形態においては、磁極長ＰＬを短くする。具体的には、磁極長ＰＬは、例えば、磁気記録媒体８０のトラックピッチＴｒｐよりも短く設定される。これにより、スキュー角を考慮した条件において、有効に記録できる高い記録密度が得られる。
【００２９】
以下、スキュー角について説明する。  
図２（ａ）及び図２（ｂ）は、第１の実施形態に係る磁気記録装置を例示する模式的平面図である。  
図２（ａ）に示すように、磁気記録装置は、磁気記録媒体８０及び磁気ヘッド１１０に加えて、アーム１５５をさらに含む。アーム１５５は、アーム軸１５５ｃと、延在部１５５ｅと、を含む。延在部１５５ｅは、アーム軸１５５ｃを中心として回転する。延在部１５５ｅは、アーム延在方向１５５ｄに沿って延びる。磁気ヘッド１１０は、延在部１５５ｅに固定される。すなわち、磁極２０は、延在部１５５ｅに固定される。
【００３０】
図２（ａ）に示すように、アーム１５５の回転（延在部１５５ｅの回転）により、磁気ヘッド１１０は、磁気記録媒体８０の内周部８０ｉ、中周部８０ｍ及び外周部８０ｏを移動する。
【００３１】
図２（ｂ）は、磁気記録媒体８０における記録ビット８４の列８４ａと、磁極２０と、の相対的な関係を図示している。図２（ｂ）には、磁気記録媒体８０の内周部８０ｉ、中周部８０ｍ及び外周部８０ｏに対応する３つの状態が図示されている。図２（ｂ）に示すように、例えば、中周部８０ｍにおいては、アーム１５５の延在部１５５ｅのアーム延在方向１５５ｄは、列８４ａの方向に沿っている。内周部８０ｉにおいては、アーム１５５の延在部１５５ｅのアーム延在方向１５５ｄは、列８４ａの方向と交差する。外周部８０ｏにおいては、アーム１５５の延在部１５５ｅのアーム延在方向１５５ｄは、列８４ａの方向と交差する。内周部８０ｉと外周部８０ｏとにおいて、交差の方向が逆である。
【００３２】
アーム１５５の延在部１５５ｅの動きに伴って、磁極２０に関する方向（Ｘ１軸方向及びＹ１軸方向）と、記録ビット８４の列８４ａの方向と、の間の角度（スキュー角θｓ）が変化する。
【００３３】
内周部８０ｉと外周部８０ｏとにおいて、記録ビット８４の列８４ａの方向（ダウントラックの方向）と、アーム延在方向１５５ｄと、の間の角度（スキュー角θｓ）が変化する。
【００３４】
例えば、内周部８０ｉにおいて、記録ビット８４の列８４ａの方向（ダウントラックの方向）と、アーム延在方向１５５ｄと、の間の角度を、インナースキュー角θｓｉとする。外周部８０ｏにおいて、記録ビット８４の列８４ａの方向（ダウントラックの方向）と、アーム延在方向１５５ｄと、の間の角度を、アウタースキュー角θｓｏとする。インナースキュー角θｓｉとアウタースキュー角θｓｏとにおいて、角度の方向は逆であり、角度の極性は、逆である。インナースキュー角θｓｉの絶対値の最大値は、アウタースキュー角θｓｏの絶対値の最大値と実質的に同じでも良い。インナースキュー角θｓｉの絶対値の最大値は、アウタースキュー角θｓｏの絶対値の最大値と異なっても良い。
【００３５】
例えば、外周部８０ｏにおいては、第２辺ｓ２は、記録ビット８４の列８４ａの方向（ダウントラックの方向）に実質的に沿っている。そして、外周部８０ｏにおいて、第１辺ｓ１と、記録ビット８４の列８４ａの方向と、の間の角度は大きい。一方、内周部８０ｉにおいては、第１辺ｓ１は、記録ビット８４の列８４ａの方向に実質的に沿っている。そして、内周部８０ｉにおいて、第２辺ｓ２と、記録ビット８４の列８４ａの方向と、の間の角度は大きい。
【００３６】
このように、内周部８０ｉと外周部８０ｏとにおいて、磁極２０の辺と、記録ビット８４の列８４ａの方向（ダウントラックの方向）と、の間の角度が変化する。スキュー角θｓの絶対値の最大値が大きいと、磁極２０の辺とダウントラックの方向との間の角度の変化は大きくなる。
【００３７】
実用的には、外周部８０ｏにおける特性は、内周部８０ｉにおける特性と実質的に同じと考えて良い。磁気記録媒体８０の回転速度が速い場合は、磁気記録媒体８０と磁気ヘッド１１０との間の相対速度の差により、特性差が生じることがあり、磁気記録媒体８０中の場所による不均一性により、特性差が生じることもある。以下で説明するスキュー角θｓとベベル角θｂとの関係は、これらの特性差がある場合においても、実質的に同じである。
【００３８】
以下では、内周部８０ｉの特性について説明する。以下の説明は、外周部８０ｏにも適用できる。インナースキュー角θｓｉの絶対値の最大値を最大スキュー角θｓｍとする。最大スキュー角θｓｍは、アウタースキュー角θｓｏの絶対値の最大値でも良い。最大スキュー角θｓｍは、インナースキュー角θｓｉの絶対値の最大値と、アウタースキュー角θｓｏの絶対値の最大値と、の小さい方でも良い。
【００３９】
以下、スキュー角θｓと、ベベル角θｂ（第１ベベル角θｂ１）と、を変えたときの記録特性の例について説明する。
【００４０】
図３（ａ）〜図３（ｃ）は、磁気記録装置の特性を例示するグラフ図である。  
これらの図は、磁気記録装置のシミュレーション結果を例示している。このシミュレーションにおいては、磁極長ＰＬは９０ｎｍであり、磁極幅ＰＷは４０ｎｍである。
【００４１】
これらの図において、横軸は、スキュー角θｓである。図３（ａ）の縦軸は、記録可能なトラックピッチＴｒｐｐである。図３（ｂ）の縦軸は、トラックピッチの差分ＤＴｒｐである。図３（ｃ）の縦軸は、トラックピッチロスＴＰＩＬである。
【００４２】
図３（ａ）において、記録可能なトラックピッチＴｒｐｐは、磁気記録媒体８０に記録された２Ｔ信号の書き込み幅から算出される。図３（ａ）に示すように、スキュー角θｓが大きいと、記録可能なトラックピッチＴｒｐｐが大きくなる。例えば、スキュー角θｓが１５度のとき、ベベル角θｂが大きいと、記録可能なトラックピッチＴｒｐｐが小さくなる。スキュー角θｓが小さいとき（例えば０度のとき）、ベベル角θｂに対する記録可能なトラックピッチＴｒｐｐの変化は、小さい。
【００４３】
スキュー角θｓが０度のときの記録可能なトラックピッチＴｒｐｐを基準トラックピッチＴｒｐｐ０とする。基準トラックピッチＴｒｐｐ０（すなわち、スキュー角θｓが０度のときの記録可能なトラックピッチＴｒｐｐ）を、評価の際の基準とする。基準トラックピッチＴｒｐｐ０と、スキュー角θｓが他の値のときの記録可能なトラックピッチＴｒｐｐと、の差を、トラックピッチの差分ＤＴｒｐとする。
【００４４】
図３（ｂ）に示すように、差分ＤＴｒｐ（スキュー角θｓが０度のときの記録可能なトラックピッチＴｒｐｐを基準としたときの、スキュー角θｓが他の値のときの記録可能なトラックピッチＴｒｐｐの増大）は、スキュー角θｓが大きいと、大きい。差分ＤＴｒｐは、ベベル角θｂが小さいと、大きい。
【００４５】
トラックピッチロスＴＰＩＬを、
ＴＰＩＬ＝（ＤＴｒｐ／Ｔｒｐｐ０）×１００（％）
のように定義する。
【００４６】
図３（ｃ）に示すように、トラックピッチロスＴＰＩＬは、スキュー角θｓが大きいと大きくなる。トラックピッチロスＴＰＩＬは、ベベル角θｂが大きいと大きくなる。
【００４７】
このように、スキュー角θｓ及びベベル角θｂは、トラックピッチロスＴＰＩＬに影響を与える。
【００４８】
以下、磁極長ＰＬを変えたときの特性について説明する。
【００４９】
図４（ａ）及び図４（ｂ）は、磁気記録装置の特性を例示するグラフ図である。  
図４（ａ）において、横軸は、磁極長ＰＬである。縦軸は、スキュー角θｓが１５度の時のトラックピッチロスＴＰＩＬである。
【００５０】
図４（ａ）から分かるように、磁極長ＰＬが長いと、トラックピッチロスＴＰＩＬは大きい。磁極長ＰＬが長いと、ベベル角θｂが変化すると、トラックピッチロスＴＰＩＬの変化の程度は大きい。すなわち、磁極長ＰＬが長いと、実用的に実現できるトラックピッチＴｒｐは、ベベル角θｂに大きく依存する。
【００５１】
磁極長ＰＬが短いと、トラックピッチロスＴＰＩＬは小さい。すなわち、磁極長ＰＬが短いと、実用的に実現できるトラックピッチＴｒｐは、小さく、ベベル角θｂに実質的に依存しない。
【００５２】
例えば、磁極長ＰＬが４０ｎｍ以下のときに、トラックピッチロスＴＰＩＬは実質的に一定となる。磁極長ＰＬが４０ｎｍ以下のときに、トラックピッチロスＴＰＩＬは、ベベル角θｂに実質的に依存しない。磁極長ＰＬが４０ｎｍ以下の全てのベベル角θｂにおける、トラックピッチＴｒｐの平均は、５７．３ｎｍである。
【００５３】
このように、磁極長ＰＬが短いと（例えば４０ｎｍ以下）、トラックピッチロスＴＰＩＬは小さくなり、実質的に一定となる。このときのトラックピッチＴｒｐは、約５７ｎｍである。このトラックピッチＴｒｐは、ＥＷＡＣ(Erasure Width of the AC pattern:例えば、米国特許第８８０４２８１号明細書参照)を基に算出されている。実施形態においては、磁極長ＰＬをトラックピッチＴｒｐよりも短くする。実施形態においては、磁極長ＰＬをトラックピッチＴｒｐの０．７倍以下とする。すなわち、トラックピッチＴｒｐが５７ｎｍであるときに、磁極長ＰＬを４０ｎｍ以下とする。
【００５４】
図４（ｂ）は、図４（ａ）のデータを基にして作成されている。  
図４（ｂ）の横軸は、磁極長ＰＬである。縦軸は、トラックピッチロスＴＰＩＬの標準偏差σ（ＴＰＩＬ）である。標準偏差σ（ＴＰＩＬ）は、磁極長ＰＬのそれぞれのときのトラックピッチロスＴＰＩＬの標準偏差である。標準偏差σ（ＴＰＩＬ）は、ベベル角θｂが、７度、１０度、１３度または１７度における、トラックピッチロスＴＰＩＬの値を基に算出されている。
【００５５】
図４（ｂ）に示すように、磁極長ＰＬが４０ｎｍ以下において、標準偏差σ（ＴＰＩＬ）が小さい。磁気ヘッド１１０の加工時のばらつきにより、ベベル角θｂのばらつきが生じる。ベベル角θｂのばらつきに起因して、特性が変化する。磁極長ＰＬが４０ｎｍ以下においては、ベベル角θｂのばらつきに起因するトラックピッチロスＴＰＩＬの特性のばらつきが抑えられる。これにより、安定したＨＤＤ特性を得ることができる。
【００５６】
実施形態においては、トラックピッチロスＴＰＩＬを小さくできる。すなわち、スキュー角θｓを考慮した実用的な条件において、高密度の磁気記録装置が提供できる。
【００５７】
図５（ａ）及び図５（ｂ）は、磁気記録装置の特性を例示する模式図である。  
これらの図は、磁気記録媒体８０に加わる磁極磁界のシミュレーション結果を示している。これらのシミュレーションにおいて、媒体対向面２０ｆと磁気記録媒体８０との間の距離は、１７ｎｍである。磁極幅ＰＷは４０ｎｍである。ライトギャップＷＧは、２２ｎｍである。サイドギャップＳＧは、３０ｎｍである。図５（ａ）に例示する磁気ヘッド１１０ａにおいては、磁極長ＰＬは４０ｎｍであり、ベベル角θｂは１０度である。図５（ｂ）に例示する磁気ヘッド１１９においては、磁極長ＰＬは７０ｎｍであり、ベベル角θｂは１７度である。磁気ヘッド１１０ａは、実施形態に対応し、磁気ヘッド１１９は、参考例に対応する。
【００５８】
これらの図は、例えばスキュー角θｓが０のときの状態を例示している。このとき、磁極２０に関するＸ１軸方向は、磁気記録媒体８０に関するＸ軸方向に対して平行である。これらの図には、記録磁界の等高線が表示されている。これらの図中の暗い（濃い）部分においては、明るい（淡い）部分よりも、記録磁界が強い。記録磁界が１３ｋＯｅである等高線が、破線で描かれている。これらの図中には、磁極２０の媒体対向面２０ｆの形状が表示されている。
【００５９】
これらの図に示すように、破線で示す記録磁界（１３ｋＯｅ）の幅は、ＥＷＡＣを基に算出されるトラックピッチＴｒｐと一致する。磁気記録媒体８０への記録は、破線で示す記録磁界（１３ｋＯｅ）で決まっていると、考えられる。この破線で示す記録磁界（１３ｋＯｅ）を記録バブルと呼ぶ。この記録バブルの形状と、磁極２０の媒体対向面２０ｆの形状と、を比較する。
【００６０】
長い磁極長ＰＬを有する磁気ヘッド１１９においては、記録バブルの形状の１つの辺は、磁極２０の側面（第１辺ｓ１及び第２辺ｓ２）に沿っている。すなわち、記録バブルの形状の辺のＸ軸方向との間の角度は、実質的にベベル角θｂに一致している。図４（ａ）に関して説明したように、磁極長ＰＬが長いときに実用的に実現できるトラックピッチＴｒｐがベベル角θｂに大きく依存するのは、この現象が関係していると考えられる。
【００６１】
これに対して、短い磁極長ＰＬを有する磁気ヘッド１１０ａにおいては、記録バブルの形状の辺は、外側に曲線状にふくらんでいる。記録バブルの形状の辺は、丸くなっている。磁極長ＰＬが短いときには、記録バブルの形状は、円に近づく。それに伴って、実用的に実現できるトラックピッチＴｒｐのベベル角θｂ依存性が小さくなると考えられる。
【００６２】
図６は、磁気記録装置の特性を例示するグラフ図である。  
図６は、磁極幅ＰＷを変えた時のトラックピッチロスＴＰＩＬの標準偏差σ（ＴＰＩＬ）を示す。  
図６において、横軸は、磁極長ＰＬである。縦軸は、トラックピッチロスＴＰＩＬの標準偏差σ（ＴＰＩＬ）である。磁極長ＰＬが磁極幅ＰＷ程度よりも小さいときに、トラックピッチロスＴＰＩＬの標準偏差σ（ＴＰＩＬ）が小さい。記録バブルの形状が丸くなると、トラックピッチＴｒｐのベベル角θｂ依存性が小さくなる。磁極長ＰＬが磁極幅ＰＷ以下において、トラックピッチＴｒｐのベベル角θｂ依存性が小さくなる。ＥＷＡＣから算出されるトラックピッチＴｒｐは、磁極幅ＰＷの約０．７倍である。実施形態において、磁極長ＰＬは、例えば、トラックピッチＴｒｐの０．７倍以下とする。
【００６３】
このような、磁極長ＰＬと、記録バブルの形状と、の関係は、従来知られていない。このため、磁極２０の媒体対向面２０ｆの面積が大きいほど、磁気記録媒体８０に印加される記録磁界は大きくなると考えられていた。しかしながら、図５（ａ）及び図５（ｂ）に示すように、磁極２０の磁極長ＰＬが記録磁界に大きく影響を与える。実施形態においては、磁極２０の磁極長ＰＬを小さくすることで、トラックピッチロスＴＰＩＬを小さくする。これにより、高密度化が可能な磁気記録装置を提供できる。
【００６４】
記録バブルの形状は、磁気ヘッド１１０の浮上量等の記録条件を変えても大きく変わることは無い。トラックピッチＴｒｐを変えると、記録バブルの形状は相似形を維持しつつ、記録バルブの大きさが変わる。
【００６５】
上記の例では、磁極長ＰＬがトラックピッチＴｒｐの７０％以下になるとベベル角θｂ依存性が著しく小さくなる。この関係の傾向は、トラックピッチＴｒｐが変わっても実質的には、変わらない。
【００６６】
実施形態において、磁極２０のベベル角θｂは、磁気記録媒体８０のスキュー角θｓの最大値（最大スキュー角θｓｍ）よりも小さく設定できる。
【００６７】
例えば、図２（ｂ）に例において、磁極２０の第１辺ｓ１に関する第１ベベル角θｂ１が、インナースキュー角θｓｉの絶対値の最大値と同じとする。このとき、インナースキュー角θｓｉの絶対値が最大となる位置において、第１辺ｓ１は、記録ビット８４の列８４ａの方向（ダウントラックの方向）に沿う。
【００６８】
磁極長ＰＬが長い参考例においては、磁極２０の形状に対応した形状の記録磁界が発生する。この参考例において、第１ベベル角θｂ１がインナースキュー角θｓｉの絶対値よりも小さいと、磁極２０と相似形の記録磁界の一部が、記録ビット８４の列８４ａの外を通過してしまう。これにより、隣接するトラックの特性が悪化する。
【００６９】
これに対して、磁極長ＰＬが小さいと、円に近い記録磁界が発生する。このため、ベベル角θｂを小さくすることができる。実施形態においては、磁極長ＰＬを短くする。これにより、第１ベベル角θｂ１がインナースキュー角θｓｉの絶対値の最大値よりも小さくしても、スキュー角θｓが大きい位置においても、適正な記録が可能となる。
【００７０】
例えば、実施形態において、ベベル角θｂは、スキュー角θｓの最大値（最大スキュー角θｓｍ）の０．５倍以下としても良い。
【００７１】
例えば、ベベル角θｂは、０度以上１７度以下である。一方、スキュー角θｓの絶対値の最大値（最大スキュー角θｓｍ）は、２０度以下である。
【００７２】
このように、実施形態においては、アーム１５５が設けられる。そして、アーム１５５は、アーム軸１５５ｃと、アーム軸１５５ｃを中心として回転しアーム延在方向１５５ｄに沿って延びる延在部１５５ｅと、を含む（図２（ｂ）参照）。磁極２０は、延在部１５５ｅ（の一部であり、先端部分）に固定される。一方、磁気記録媒体８０は、媒体回転軸８０ｃを中心として回転する。トラックピッチＴｒｐの方向は、媒体回転軸８０ｃを通る。トラックピッチＴｒｐの方向は、媒体回転軸８０ｃに対して垂直な直線８０Ｌに沿う（図１（ｂ）参照）。
【００７３】
ダウントラック方向は、直線８０Ｌに対して実質的に垂直である。トラックピッチＴｒｐの方向は、直線８０Ｌに沿う。磁極２０の媒体対向面２０ｆは、直線８０Ｌと交差する辺（第１辺ｓ１及び第２辺ｓ２など）を有する（図１（ｃ）参照）。辺と、Ｘ１軸方向（磁極２０からシールド１０に向かう第１方向）と、の間の第１角度（第１ベベル角θｂ１及び第２ベベル角θｂ２の少なくともいずれか）は、ダウントラック方向とアーム延在方向１５５ｄとの間の第２角度（スキュー角θｓ）の絶対値の最大値（最大スキュー角θｓｍに対応する）よりも小さい。
【００７４】
実施形態において、第１角度は、例えば、第２角度の絶対値の最大値の０．５倍以下である。第１角度は、例えば、０度以上１７度以下である。第２角度の絶対値の最大値は、例えば、２０度以下である。
【００７５】
実施形態において、磁極長ＰＬは、例えば４０ナノメートル以下である。
【００７６】
媒体対向面２０ｆは、磁極幅ＰＷを有している。磁極幅ＰＷは、Ｙ１軸方向（磁極２０からシールド１０に向かうＸ１軸方向に対して垂直で、媒体対向面２０ｆに対して垂直な方向）に沿う、媒体対向面２０ｆの長さ（最大値）である。実施形態において、磁極長ＰＬは、磁極幅ＰＷ以下である。
【００７７】
垂直磁気記録において、磁極２０で発生する磁界（記録磁界）を用いて、磁気記録媒体８０に書き込みを行う。磁極２０から出た磁束は、磁気記録媒体８０の軟磁性裏打ち層(SUL: Soft Under Layer)を通過して拡散する。磁極２０の媒体対向面２０ｆを磁束が通過する。このため、一般的には、磁極２０の媒体対向面２０ｆの面積が大きいほど、磁気記録媒体８０に印加される磁界は大きくなると考えられていた。
【００７８】
一方、磁気ヘッド１１０は、アーム１５５（スイングアーム）に固定される。アーム１５５は、１つの回転軸（アーム軸１５５ｃ）の周りをスイングする。ダウントラック方向と、磁気ヘッド１１０の中心線と、の間の角度は、スキュー角θｓに対応する。実施形態においては、磁極長ＰＬを短くする。これにより、磁極２０のベベル角θｂがスキュー角θｓより小さいときにも、適正な記録が可能である。例えば、スキュー角θｓの最大値（最大スキュー角θｓｍ）は、約１５度である。このとき、磁極２０のベベル角θｂも、約１５度としても良い。
【００７９】
ベベル角θｂを小さくすると、磁極２０の媒体対向面２０ｆの全体の面積を大きくできるため、一般には、記録特性が向上すると考えられている。すなわち、ベベル角θｂが小さいと、磁極２０の媒体対向面２０ｆは、長方形に近づき、媒体対向面２０ｆの面積が大きくなる。例えば、ベベル角θｂを小さくするに従って磁極長ＰＬを長くすることで、媒体対向面２０ｆの面積を広げることができる。
【００８０】
一方、ベベル角θｂが小さいと、スキュー角θｓが大きい位置において、磁極２０の媒体対向面２０ｆがトラックの外に位置してしまう。このため、トラックピッチロスＴＰＩＬが長じる。
【００８１】
アーム１５５を長くすることにより、ベベル角θｂが小さくてもトラックピッチロスＴＰＩＬを抑制することが考えられる。しかしながら、この方法において、アーム１５５が長いと、対衝撃性能が低下する。したがって、一般に、磁極２０の媒体対向面２０ｆの面積は、ベベル角θｂにより制限を受けることになる。
【００８２】
実施形態においては、図４及び図５に関して説明した特性に着目している。すなわち、磁極２０の磁極長ＰＬを小さくすることで、トラックピッチロスＴＰＩＬを小さくできる。
【００８３】
実施形態においては、小さいベベル角θｂを保持したまま、トラックピッチロスＴＰＩＬを減少できる。
【００８４】
例えば、磁極２０の磁極長ＰＬ（磁極２０のダウントラック方向の最大長さ）を短くする。磁極長ＰＬは、例えば、トラックピッチＴｒｐの７０％以下とする。これにより、トラックピッチロスＴＰＩＬを小さくでき、高密度の記録が可能になる。
【００８５】
さらに、ベベル角θｂを、磁気記録装置１５０（ハードディスク）のスキュー角θｓの最大値（最大スキュー角θｓｍ）よりも小さくする。磁極長ＰＬを小さくすると同時にベベル角θｂを小さくすることにより、さらに良好な記録性能が確保できる。
【００８６】
例えば、線記録密度が２０００ｋＢＰＩの２．５インチのハードディスクの中周において、トラック密度が、３９１ｋＴＰＩとする。この時、トラックピッチＴｒｐは、６５ｎｍである。このとき、以下の第１条件及び第２条件の磁気ヘッドを検討する。
【００８７】
第１条件の磁気ヘッドにおいては、磁極幅ＰＷが６０ｎｍであり、ベベル角θｂは、１７度であり、磁極長ＰＬは、９０ｎｍである。このとき、ノイズ特性ＳＮＲは、１０．２ｄＢである。第１条件においては、磁極長ＰＬは、トラックピッチＴｒｐ（６５ｎｍ）よりも大きい。
【００８８】
第２条件の磁気ヘッドにおいては、磁極幅ＰＷが５８ｎｍであり、ベベル角θｂは、７度であり、磁極長ＰＬは、４０ｎｍである。このとき、ノイズ特性ＳＮＲは、１１ｄＢである。第２条件においては、磁極長ＰＬは、トラックピッチＴｒｐ（６５ｎｍ）の約６２．５％である。
【００８９】
第２条件においては、第１条件よりも、トータルの容量が大きい。容量の差は、３．２％である。第１条件における磁極２０の媒体対向面２０ｆの面積は、２９２４ｎｍ２であり、第２条件における磁極２０の媒体対向面２０ｆの面積は、２１２４ｎｍ２である。磁極２０の媒体対向面の２０ｆ面積は、第２条件の方が小さいにもかかわらず、容量が大きくなっておる。このことから、媒体対向面２０ｆの面積だけが書き込み能力に関与しているのではないことがわかる。例えば、磁極２０のトレーリング側の寄与が、リーディング側の寄与よりも大きいと、考えられる。ベベル角θｂが小さい場合は、媒体対向面２０ｆの全体の面積が多少小さくても、書き込み能力が向上すると考えられる。
【００９０】
例えば、線記録密度が２０００ｋＢＰＩの２．５インチのハードディスクの中周において、トラック密度が、４８８ｋＴＰＩとする。この時、トラックピッチＴｒｐは、５２ｎｍである。このとき、以下の第３条件及び第４条件の磁気ヘッドを検討する。
【００９１】
第３条件の磁気ヘッドにおいては、磁極幅ＰＷが３３ｎｍであり、ベベル角θｂは、１５度であり、磁極長ＰＬは、６０ｎｍである。このとき、ノイズ特性ＳＮＲは、９．８ｄＢである。第３条件においては、磁極長ＰＬは、トラックピッチＴｒｐ（５２ｎｍ）よりも大きい。
【００９２】
第４条件の磁気ヘッドにおいては、磁極幅ＰＷが３５ｎｍであり、ベベル角θｂは、７度であり、磁極長ＰＬは、３０ｎｍである。このとき、ノイズ特性ＳＮＲは、１０．７ｄＢである。第４条件においては、磁極長ＰＬは、トラックピッチＴｒｐ（５２ｎｍ）の約５７．７％である。
【００９３】
第４条件においては、第３条件よりも、トータルの容量が大きい。容量の差は、４．５％である。
【００９４】
上記の第２条件及び第４条件が、実施形態に対応する。実施形態によれば、良好な特性の高密度の記録が可能である。
【００９５】
図７は、磁気記録装置の特性を例示するグラフ図である。  
図７は、磁気記録装置の記録密度を例示している。図７の横軸は、磁気記録媒体８０におけるトラックピッチＴｒｐの方向の位置ＰＴｒｐ（ゾーン番号に対応する）である。縦軸は、記録密度ＡＤ（Ｇｂｐｓｉ）である。この図には、実施形態に係る磁気記録装置１５０（例えば磁気ヘッド１１０ａ）の特性と、参考例の磁気記録装置１５９（例えば磁気ヘッド１１９）の特性と、が示されている。磁気記録装置１５０においては、ベベル角θｂは、１０度であり、トラックピッチＴｒｐは、３０ｎｍである。磁気記録装置１５９においては、ベベル角θｂは、１７度であり、トラックピッチＴｒｐは、６０ｎｍである。
【００９６】
磁気記録装置１５０（例えば磁気ヘッド１１０ａ）において、スキュー角θｓが１５度の時の記録密度ＡＤは、１０２１Ｇｂｐｓｉである。この記録密度ＡＤは、４７９ｋＴＰＩ/２１３０ｋＢＰＩに対応する。
【００９７】
磁気記録装置１５０における記録密度ＡＤは、磁気記録装置１５９における記録密度ＡＤよりも高い。
【００９８】
スキュー角θｓが０度のときに、磁気記録装置１５０における記録密度ＡＤは、磁気記録装置１５９における記録密度ＡＤよりも高い。向上の程度は、２．１％である。スキュー角θｓが１５度のときにも、磁気記録装置１５０における記録密度ＡＤは、磁気記録装置１５９における記録密度ＡＤよりも高い。向上の程度は、３．７％である。スキュー角θｓの全体において、向上の程度の平均は、２．６％である。
【００９９】
磁気記録装置１５０においては、スキュー角θｓが大きいとき（例えば１５度のとき）に、トラックピッチロスＴＰＩＬが特に小さくなる。このため、磁気記録媒体８０の内周部及び外周部において、記録密度ＡＤの向上の程度が高くなる。
【０１００】
図８は、第１の実施形態に係る磁気記録装置を例示する模式的斜視図である。  
図８においては、シールド１０、シールド４３、第１サイドシールド４１及び第２サイドシールド４２などが省略されている。
【０１０１】
磁気ヘッド１１０の磁極２０に書き込みコイル２８が設けられる。書き込みコイル２８に供給される電流により、磁極２０において、記録磁界が発生する。発生した記録磁界が、磁気記録媒体８０に加わる。磁気記録媒体８０には、複数のトラック（例えば第１〜第４トラックＴｒ１〜Ｔｒ４など）が形成される。複数のトラックのピッチが、トラックピッチＴｒｐに対応する。
【０１０２】
図８に示すように、磁気ヘッド１１０は、再生部７０をさらに含んでも良い。再生部７０は、第１再生シールド７２ａと、第２再生シールド７２ｂと、再生素子７１と、を含む。再生素子７１は、第１再生シールド７２ａと第２再生シールド７２ｂとの間に設けられる。再生素子７１により、情報が記録された記録ビット８４の磁化８３の状態が検出される。
【０１０３】
磁気記録装置１５０において、制御部５５が設けられても良い。制御部５５からのコイル２８に電気信号が供給される。制御部５５は、再生素子７１の電気抵抗の状態を検出しても良い。
【０１０４】
図９は、第１の実施形態に係る磁気記録装置の一部を例示する模式的斜視図である。  
図９は、磁気ヘッドが搭載されるヘッドスライダを例示している。  
磁気ヘッド１１０は、ヘッドスライダ３に搭載される。ヘッドスライダ３には、例えばＡｌ２Ｏ３／ＴｉＣなどが用いられる。ヘッドスライダ３は、磁気記録媒体８０の上を、浮上または接触しながら、磁気記録媒体８０に対して相対的に運動する。
【０１０５】
ヘッドスライダ３は、例えば、空気流入側３Ａと空気流出側３Ｂとを有する。磁気ヘッド１１０は、ヘッドスライダ３の空気流出側３Ｂの側面などに配置される。これにより、ヘッドスライダ３に搭載された磁気ヘッド１１０は、磁気記録媒体８０の上を浮上または接触しながら磁気記録媒体８０に対して相対的に運動する。
【０１０６】
図１０は、実施形態に係る磁気記録装置を例示する模式的斜視図である。  
図１１（ａ）及び図１１（ｂ）は、磁気記録装置の一部を例示する模式的斜視図である。  
図１０に示したように、実施形態に係る磁気記録装置１５０は、ロータリーアクチュエータを用いた形式の装置である。記録用媒体ディスク１８０は、スピンドルモータ４に装着され、駆動装置制御部からの制御信号に応答するモータにより矢印Ａの方向に回転する。本実施形態に係る磁気記録装置１５０は、複数の記録用媒体ディスク１８０を備えても良い。磁気記録装置１５０は、記録媒体１８１を含んでもよい。例えば、磁気記録装置１５０は、ハイブリッドＨＤＤ（Hard Disk Drive）である。記録媒体１８１は、例えば、ＳＳＤ（Solid State Drive）である。記録媒体１８１には、例えば、フラッシュメモリなどの不揮発性メモリが用いられる。
【０１０７】
記録用媒体ディスク１８０に格納する情報の記録再生を行うヘッドスライダ３は、既に説明したような構成を有し、薄膜状のサスペンション１５４の先端に取り付けられている。ここで、ヘッドスライダ３の先端付近に、例えば、既に説明した実施形態に係る磁気ヘッドのいずれかが搭載される。
【０１０８】
記録用媒体ディスク１８０が回転すると、サスペンション１５４による押し付け圧力とヘッドスライダ３の媒体対向面（ＡＢＳ）で発生する圧力とがつりあい、ヘッドスライダ３の媒体対向面は、記録用媒体ディスク１８０の表面から所定の浮上量をもって保持される。なお、ヘッドスライダ３が記録用媒体ディスク１８０と接触するいわゆる「接触走行型」としても良い。
【０１０９】
サスペンション１５４は、アーム１５５（例えばアクチュエータアーム）の一端に接続されている。アーム１５５は、例えば、駆動コイルを保持するボビン部などを有する。アーム１５５の他端には、リニアモータの一種であるボイスコイルモータ１５６が設けられている。ボイスコイルモータ１５６は、アーム１５５のボビン部に巻き上げられた駆動コイルと、このコイルを挟み込むように対向して配置された永久磁石及び対向ヨークからなる磁気回路とを含むことができる。サスペンション１５４は、一端と他端とを有し、磁気ヘッドは、サスペンション１５４の一端に搭載され、アーム１５５は、サスペンション１５４の他端に接続されている。
【０１１０】
アーム１５５は、軸受部１５７の上下２箇所に設けられたボールベアリングによって保持され、ボイスコイルモータ１５６により回転摺動が自在にできるようになっている。その結果、磁気ヘッドを記録用媒体ディスク１８０の任意の位置に移動可能となる。
【０１１１】
図１１（ａ）は、磁気記録装置の一部の構成を例示しており、ヘッドスタックアセンブリ１６０の拡大斜視図である。  
また、図１１（ｂ）は、ヘッドスタックアセンブリ１６０の一部となる磁気ヘッドアセンブリ（ヘッドジンバルアセンブリ：ＨＧＡ）１５８を例示する斜視図である。
【０１１２】
図１１（ａ）に示したように、ヘッドスタックアセンブリ１６０は、軸受部１５７と、ヘッドジンバルアセンブリ１５８と、支持フレーム１６１と、を含む。ヘッドジンバルアセンブリ１５８は、軸受部１５７から延出している。支持フレーム１６１は、軸受部１５７からＨＧＡと反対方向に延出している。支持フレーム１６１は、ボイスコイルモータのコイル１６２を支持する。
【０１１３】
また、図１１（ｂ）に示したように、ヘッドジンバルアセンブリ１５８は、軸受部１５７から延出したアーム１５５と、アーム１５５から延出したサスペンション１５４と、を有している。
【０１１４】
サスペンション１５４の先端には、ヘッドスライダ３が取り付けられている。そして、ヘッドスライダ３には、実施形態に係る磁気ヘッドのいずれかが搭載される。
【０１１５】
すなわち、実施形態に係る磁気ヘッドアセンブリ（ヘッドジンバルアセンブリ）１５８は、実施形態に係る磁気ヘッドと、磁気ヘッドが搭載されたヘッドスライダ３と、ヘッドスライダ３を一端に搭載するサスペンション１５４と、サスペンション１５４の他端に接続されたアーム１５５と、を備える。
【０１１６】
サスペンション１５４は、信号の書き込み及び読み取り用、浮上量調整のためのヒーター用、及び、例えばスピントルク発振子用などのためのリード線（図示しない）を有する。これらのリード線と、ヘッドスライダ３に組み込まれた磁気ヘッドの各電極と、が電気的に接続される。
【０１１７】
また、磁気ヘッドを用いて磁気記録媒体への信号の書き込みと読み出しを行う信号処理部１９０が設けられる。信号処理部１９０は、例えば、図１０に例示した磁気記録装置１５０の図面中の背面側に設けられる。信号処理部１９０の入出力線は、ヘッドジンバルアセンブリ１５８の電極パッドに接続され、磁気ヘッドと電気的に結合される。
【０１１８】
このように、本実施形態に係る磁気記録装置１５０は、磁気記録媒体と、上記の実施形態に係る磁気ヘッドと、磁気記録媒体と磁気ヘッドとを離間させ、または、接触させた状態で相対的に移動可能とした可動部と、磁気ヘッドを磁気記録媒体の所定記録位置に位置合わせする位置制御部と、磁気ヘッドを用いて磁気記録媒体への信号の書き込みと読み出しを行う信号処理部と、を備える。
【０１１９】
すなわち、上記の磁気記録媒体として、記録用媒体ディスク１８０が用いられる。  
上記の可動部は、ヘッドスライダ３を含むことができる。  
また、上記の位置制御部は、ヘッドジンバルアセンブリ１５８を含むことができる。
【０１２０】
このように、本実施形態に係る磁気記録装置１５０は、磁気記録媒体と、実施形態に係る磁気ヘッドアセンブリと、磁気ヘッドアセンブリに搭載された磁気ヘッドを用いて磁気記録媒体への信号の書き込みと読み出しを行う信号処理部と、を備える。
【０１２１】
実施形態によれば、高密度化が可能な磁気記録装置が提供される。
【０１２２】
なお、本願明細書において、「垂直」及び「平行」は、厳密な垂直及び厳密な平行だけではなく、例えば製造工程におけるばらつきなどを含むものであり、実質的に垂直及び実質的に平行であれば良い。
【０１２３】
以上、具体例を参照しつつ、本発明の実施の形態について説明した。しかし、本発明の実施形態は、これらの具体例に限定されるものではない。例えば、磁気ヘッドに含まれるシールド、磁極及びサイドシールド、磁気記録装置に含まれる磁気記録媒体などの各要素の具体的な構成に関しては、当業者が公知の範囲から適宜選択することにより本発明を同様に実施し、同様の効果を得ることができる限り、本発明の範囲に包含される。
【０１２４】
また、各具体例のいずれか２つ以上の要素を技術的に可能な範囲で組み合わせたものも、本発明の要旨を包含する限り本発明の範囲に含まれる。
【０１２５】
その他、本発明の実施の形態として上述した磁気記録装置を基にして、当業者が適宜設計変更して実施し得る全ての磁気記録装置も、本発明の要旨を包含する限り、本発明の範囲に属する。
【０１２６】
その他、本発明の思想の範疇において、当業者であれば、各種の変更例及び修正例に想到し得るものであり、それら変更例及び修正例についても本発明の範囲に属するものと了解される。
【０１２７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【０１２８】
３…ヘッドスライダ、  ３Ａ…空気流入側、  ３Ｂ…空気流出側、  ４…スピンドルモータ、  １０…シールド、  ２０…磁極、  ２０ｆ…媒体対向面、  ２０ｓ…側面、  ２８…コイル、  ３０…ギャップ絶縁部、  ３１…絶縁部、  ４１、４２…第１、第２サイドシールド、  ４３…シールド、  ５５…制御部、  ７０…再生部、  ７１…再生素子、  ７２ａ…第１再生シールド、  ７２ｂ…第２再生シールド、  ８０…磁気記録媒体、  ８０Ｌ…直線、  ８０ｃ…媒体回転軸、  ８０ｉ…内周部、  ８０ｍ…中周部、  ８０ｏ…外周部、  ８０ｐ…部分、  ８１…磁気記録層、  ８２…媒体基板、  ８３…磁化、  ８４…記録ビット、  ８４ａ…列、  ８５…媒体移動方向、  θｂ…ベベル角、  θｂ１、θｂ２…第１、第２ベベル角、  θｓ…スキュー角、  θｓｉ…インナースキュー角、  θｓｏ…アウタースキュー角、  θｓｍ…最大スキュー角、  σ（ＴＰＩＬ）…標準偏差、  １１０、１１０ａ、１１９…磁気ヘッド、  １５０…磁気記録装置、  １５４…サスペンション、  １５５…アーム（アクチュエータアーム）、  １５５ｃ…アーム軸、  １５５ｄ…アーム延在方向、  １５５ｅ…延在部、  １５６…ボイスコイルモータ、  １５７…軸受部、  １５８…ヘッドジンバルアセンブリ、  １５９…磁気記録装置、  １６０…ヘッドスタックアセンブリ、  １６１…支持フレーム、  １６２…コイル、  １８０…記録用媒体ディスク、  １８１…記録媒体、  １９０…信号処理部、  Ａ…矢印、  ＡＤ…記録密度、  ＤＴｒｐ…差分、  ＰＬ…磁極長、  ＰＴｒｐ…位置、  ＰＷ…磁極幅、  ＳＧ…サイドギャップ、  ＴＰＩＬ…トラップピッチロス、  Ｔｒ１〜Ｔｒ４…第１〜第４トラック、  Ｔｒｐ…トラックピッチ、  Ｔｒｐｐ…トラックピッチ、  Ｔｒｐｐ０…基準トラックピッチ、  ＷＧ…ライトギャップ、  ｓ１〜ｓ３…第１〜第３辺
【図１】
2017059280.tif 000003
【図２】
2017059280.tif 000004
【図３】
2017059280.tif 000005
【図４】
2017059280.tif 000006
【図６】
2017059280.tif 000007
【図７】
2017059280.tif 000008
【図８】
2017059280.tif 000009
【図９】
2017059280.tif 000010
【図１０】
2017059280.tif 000011
【図１１】
2017059280.tif 000012
【図５】
2017059280.tif 000013